(57)【要約】【課題】  現代人が重視するオリジナリティ等の付加価値の高い仏壇の開発が望まれている。【解決手段】  本件出願の映像表示機器を備えた仏壇は、仏壇内に、テレビ受像機、再生装置で再生された映像を表示する液晶ディスプレイ等の映像表示機器を備えている。前記仏壇内には記録媒体に記録されている映像及び音声等のデータを再生可能な再生装置を備えることもできる。仏壇の内側又は外側又は扉にスピーカーを備えることもできる。前記再生装置で再生される記録媒体は故人に関係のある映像や音声を記録したものとして、故人を偲ぶことができるようにした。仏壇の前面は開放されたままでもよく、開閉式の扉を備えてもよい。扉を備えている場合は、その扉は、閉じたままでもリモコンからの信号を透過して仏壇内のテレビ受像機、再生装置を外部からリモコン操作可能な構造、材質等としてある。【選択図】図１
2005261632.tif 000002
【特許請求の範囲】
【請求項１】
仏壇内に、テレビ受像機、再生装置で再生された映像を表示する液晶ディスプレイ、有機ＥＬディスプレイ等の映像表示機器を備えたことを特徴とする映像表示機器を備えた仏壇。
【請求項２】
請求項１記載の映像表示機器を備えた仏壇において、仏壇内に記録媒体に記録されている映像及び音声等のデータを再生可能な再生装置を備えたことを特徴とする映像表示機器を備えた仏壇。
【請求項３】
請求項１又は請求項２記載の映像表示機器を備えた仏壇において、仏壇の内側又は外側又は仏壇の扉にスピーカーを備えたことを特徴とする映像表示機器を備えた仏壇。
【請求項４】
請求項１乃至請求項３のいずれかに記載の映像表示機器を備えた仏壇において、再生装置で再生される記録媒体が、故人に関係のある映像や音声を記録したものであることを特徴とする映像表示機器を備えた仏壇。
【請求項５】
請求項１乃至請求項４のいずれかに記載の映像表示機器を備えた仏壇において、仏壇の前面が開放されているか、開閉式の扉を備えており、扉を備えている場合は、その扉は、閉じたままでもリモコンからの信号を透過して仏壇内のテレビ受像機、再生装置を外部からリモコン操作可能な構造、材質等としたことを特徴とする映像表示機器を備えた仏壇。
【発明の詳細な説明】
【技術分野】
【０００１】
本発明は、仏壇内にテレビ受像機、再生装置で再生された映像を表示可能な液晶ディスプレイ、有機ＥＬディスプレイ等の映像表示機器を装備して、テレビを楽しんだり、故人の映像を再生して故人を偲んだりすることのできる映像表示機器を備えた仏壇に関するものである。
【背景技術】
【０００２】
昨今の仏壇、仏具に関する現代人の思考や感覚の変化は著しいものがあり、宗派や会派にこだわらずに仏壇、仏具を選ぶ人が増加している。また、近年は住宅事情の変化により、フローリングの住宅も多くなった。それに伴って、フローリングのリビングルーム等にも置くことができる家具調の近代的な仏壇の需要が高まってきている。需要に応じて、近年は、家具調デザインの仏壇が種々開発されている。
【発明の開示】
【発明が解決しようとする課題】
【０００３】
これら近代的な仏壇は、従前の仏壇と同様に遺影や位牌を設置することができ、しかも家具調の外観がフローリングのリビングルーム等になじみ、室内の景観を損なうことが無く、コンパクトであるため設置場所の制約を受けにくいといった利点があり、格別課題はない。
【課題を解決するための手段】
【０００４】
本発明は、従来からの仏壇と同様に内部に位牌をはじめとする各種の仏具を収納することができ、しかも、映像文化の発達した現代の人々の思考や感覚に合致した仏壇を提供するものである。
【０００５】
本件出願の映像表示機器を備えた仏壇は、仏壇内に、テレビ受像機、再生装置で再生された映像を表示する液晶ディスプレイ、有機ＥＬディスプレイ等の映像表示機器を備えている。前記仏壇内には記録媒体に記録されている映像及び音声等のデータを再生可能な再生装置を備えることもできる。仏壇の内側又は外側又は仏壇の扉にスピーカーを備えることもできる。前記再生装置で再生される記録媒体は故人に関係のある映像や音声を記録したものとして、故人を偲ぶことができるようにした。仏壇の前面は開放されたままでもよく、開閉式の扉を備えてもよい。扉を備えている場合は、その扉は、閉じたままでもリモコンからの信号を透過して仏壇内のテレビ受像機、再生装置を外部からリモコン操作可能な構造、材質等としてある。
【発明の効果】
【０００６】
本件出願の映像表示機器を備えた仏壇は次のような効果がある。
（１）仏壇内にテレビ受像機を備えた場合は、地上放送波、衛生放送波等を受信してテレビ放送を楽しむことができる。この場合、室内にテレビと仏壇を別々に設置する必要が無いため、狭い部屋とか、部屋数の少ない家では室内を有効利用でき便利である。
（２）仏壇内に再生装置で再生された映像を表示する液晶ディスプレイ、有機ＥＬディスプレイ等の映像表示機器を備えた場合は、再生装置で再生した映像を映像表示機器に映し出して楽しむことができる。この場合、再生装置で再生される記録媒体が、故人に関係のある映像や音声を記録したものを使用すれば、故人に関する種々の画像や動画等の映像や、音声を再生して故人を偲ぶことができ、単に遺影を飾って置くだけの場合よりも、故人のことをより深く懐かしむことができる付加価値の高い仏壇となる。
（３）映像表示機器に種々の画像や動画等の映像を表示させることができ、バリエーションやオリジナリティに富んだ、付加価値の高い仏壇とすることができる。
【０００７】
（４）仏壇内に、記録媒体に記録されている映像及び音声等のデータを再生可能な再生装置を備えたので、市販の記録媒体に記録されている映像や音声を再生することもでき、例えば故人の好きであった音楽や映画、更にはお経等を再生できる等、機能性の高い仏壇となる。
【０００８】
（５）仏壇にスピーカーを備えたので、映像だけでなく、音を聞くことのできる仏壇となる。
（６）スピーカーを仏壇の外側に、仏壇から離して設置した場合は、ホームシアターのような音響効果を得ることもできる。
（７）スピーカーを仏壇の外側両側面に設けた場合は仏壇の内部に設けた場合よりも左右の音に広がりが出て臨場感のある音が得られる。
（８）スピーカーを仏壇の両開きの扉に設ければ、左右の扉のスピーカーから音が出るため、左右の扉を仏壇の両外側まで開くことにより、前記（７）の場合よりも、より一層、左右の音に広がりが出て、臨場感もより一層向上する。
【０００９】
（９）仏壇の前面が開放されているか、扉があっても、その扉が、閉じたままでもリモコンからの信号を透過して仏壇内のテレビ受像機、再生装置を外部からリモコン操作可能な構造、材質等としたので、映像や音楽の切り替え操作などを一々扉を開けることなく行なうことが出来、便利である。
【発明を実施するための最良の形態】
【００１０】
（実施形態１）
本発明の映像表示機器を備えた仏壇の実施形態の一例を、図面を示して詳細に説明する。本発明の映像表示機器を備えた仏壇１は、図１、図２に示すように、上部に前面開口の箱型の上部筐体２を備え、下部に前面開口の箱型の下部筐体３を備え、上部筐体２と下部筐体３との間に仕切り板４を備え、下部筐体３の下に台輪５を備え、上部筐体２の開口部の両側方に上部扉６を備え、下部筐体３の開口部の両側方に下部扉７を備えてなる。更に本発明の仏壇は、上部筐体２内にディスプレイ８及びスピーカー９を備え、下部筐体３内に、再生装置１０及びアンプ１１を備えるものである。
【００１１】
前記上部筐体２は、図１、図２に示すように、天板１２、底板１３、背板１４、側板１５によって形成される前面開口の箱型の部材である。この上部筐体２内部の、前記底板１３の上には、膳棚板１６が、底板１３との間に隙間１８を開けて、底板１３と平行に備えられている。膳棚板１６は、上部筐体２の背板１４と、両側板１５とに接して備えられ、その前端部は上部筐体２の前方開口部付近に位置するように備えられている。膳棚板１６の上面は、膳棚として仏具等を載せることができるようにしてある。底板１３と膳棚板１６の間の隙間１８には、膳引１７が、映像表示機器を備えた仏壇１の前方に引き出せるように収容されている。膳引１７は、膳棚板１６より幅が狭く形成され、上部筐体２内で固定されておらず、前記隙間１８内を、上部筐体２の前後方向に摺動させることができるようにしてある。膳引１７は、上部筐体２の前面側に引き出して、その上に仏具等を載せることができる。
【００１２】
前記膳棚板１６の上方には、下段板１９が、膳棚板１６と平行に備えられている。下段板１９は、上部筐体２の両側板１５に接して備えられている。下段板１９は、前後方向の幅が前記膳棚板１６よりも狭く形成され、その前端部は上部筐体２の前後方向中央部付近に位置し、後端部は背板１４付近に位置するように備えられている。下段板１９の上面は、下段棚として仏具等を載せることができるようにしてある。
【００１３】
前記下段板１９の上方には、中段板２０が、下段板１９と平行に備えられている。中段板２０は、上部筐体２の両側板１５に接して備えられている。中段板２０は、前後方向の幅が前記下段板１９よりも狭く形成され、その前端部は上部筐体２の前後方向中央部付近に位置し、後端部は前後方向中央部と背板１４との中間に位置するように備えられている。中段板２０の上面は、中段棚として仏具等を載せることができるようにしてある。
【００１４】
前記中段板２０の上方には、上段板２１が、中段板２０と平行に備えられている。上段板２１は、上部筐体２の両側板１５及び背板１４に接して備えられている。上段板２１は、前後方向の幅が前記中段板２０とほぼ同じ幅に形成され、その前端部は上部筐体２の前後方向中央部と背板１４との中間に位置するように備えられている。上段板２１の上面は、上段棚として仏具等を載せることができるようにしてある。
【００１５】
また、図２に示すように、天板１２の下方には、天井板２２が、天板１２と平行に備えられている。天井板２２は、上部筐体２の両側板１５及び背板１４に接して備えられている。上段板２１は、前後方向の幅が前記中段板２０とほぼ同じ幅に形成され、その前端部は上部筐体２の前後方向中央部と背板１４との間に位置するように備えられている。
【００１６】
前記下段板１９と中段板２０との間と、中段板２０と上段板２１との間と、上段板２１と天井板２２との間には、夫々上下方向に化粧板２３が備えられている。また、天板１２の前面端には、欄間２４が備えられている。
【００１７】
前記ディスプレイ８及びスピーカー９は、本実施形態では、膳棚板１６と下段板１９との間の空間内に備えられている。ディスプレイ８及びスピーカー９は、図１に示すように、ディスプレイ８を中央に配置し、その両脇にスピーカー９を配置して備えられている。本実施形態では、ディスプレイ８とスピーカー９とは、前記膳棚板１６に固定されており、その膳棚板１６を、仏壇の組立ての際に背面側から上部筐体２の両側板間に固定することによって、上部筐体２内に備えつけられている。その際、ディスプレイ８及びスピーカー９を備えた膳棚板１６は、両側板１５に備えられたレールの上に膳棚板１６を置いたり、両側板１５に直接取付ける等して上部筐体２内に固定される。両側板１５には、レールに代えて、保持具を備えることもできる。また、前記ディスプレイ８及びスピーカー９の取付け方法は、前記の方法には限られず、任意の方法によって取付けることができる。従って、例えば、ディスプレイ８及びスピーカー９は、別途取付用の板に固定して、上部筐体２内に備えること等もできる。本実施形態においては、前記ディスプレイ８には、５インチの液晶ディスプレイを用いているが、これには限られず、ブラウン管のディスプレイや、プラズマのディスプレイや、有機ＥＬのディスプレイ等、任意の表示機器を用いることができる。また、ディスプレイ８の大きさや設置台数も、任意の大きさや設置台数とすることができる。また、スピーカー９の数も、図に示す二つには限られず、一つとすることも、三つ以上とすることもできる。前記ディスプレイ８は、再生装置１０で再生された映像を表示することができるほか、テレビ受像機を備えて、テレビとして用いることも可能である。
【００１８】
前記上部扉６は、図１、図３に示すように、上部筐体２の開口部の両側方に備えられている。本発明の上部扉６は、中央から両側に開閉する開き扉であって、左右の扉を夫々内側に折りたたむことができるようにしてある。上部扉６は、上部筐体２の開口部の側方に直接取付けられた外側扉２５と、外側扉２５に蝶番等で内側に折りたたみ可能に備えられた内側扉２６とからなる。内側扉２６には、図３に示すように家具調のデザインが施されており、図１に示すように、上部扉６を開いて、内側扉２６を内側に折り返した場合であっても、家具調のデザインが正面にくるようにされている。
【００１９】
前記下部筐体３は、図１、図２に示すように、天板２７、底板２８、背板２９、側板３０によって形成される前面開口の箱型の部材である。下部筐体３内部の上方部分には、天板２７と平行に大棚板３１が間隔を開けて二枚、夫々下部筐体３の背板２９と、両側板３０とに接して備えられ、その前端部は下部筐体３の前方開口部に位置するように備えられている。天板２７と大棚板３１との間及び各大棚板３１間の空間は、大棚３２として用いることができ、種々のものを収容することができるようにしてある。
【００２０】
前記大棚３２の下部の下部筐体３内部空間は、図１、図２に示すように、棚用縦仕切り板３３、及び中棚板３４、小棚板３５によって縦横に仕切られ、二つの中棚３６と、三つの小棚３７が形成されており、種々のものを収容することができる。
【００２１】
前記再生装置１０及びアンプ１１は、図１に示すように、前記大棚３２内に並べられて収容されている。本実施形態では、再生装置１０とアンプ１１とは、前記大棚板３１に固定されており、その大棚板３１を、仏壇の組立ての際に背面側から下部筐体３の両側板３０間に固定することによって、下部筐体３内に備えつけられている。その際、再生装置１０及びアンプ１１を備えた大棚板３１は、両側板３０に備えられたレール上に大棚板３１を置いたり、両側板３０に直接取付ける等して下部筐体３内に固定される。両側板３０には、レールに代えて、保持具を備えることもできる。また、前記再生装置１０及びアンプ１１の取付け方法は、前記の方法には限られず、任意の方法によって取付けることができる。従って、例えば、再生装置１０及びアンプ１１は、別途取付用の板に固定して、下部筐体３内に備えること等もできる。前記再生装置１０は、本実施形態ではＤＶＤプレイヤーを用いるが、映像及び音声を記録した記録媒体を再生可能な装置であれば、ビデオデッキ、ＣＤプレーヤー等、任意の装置を用いることができる。なお、この再生装置１０が再生する記録媒体は、故人に関係のある映像や音声を記録したものであることが望ましいが、任意の映像や音声を記録した記録媒体を再生させることができる。また、映像の再生装置と、音声の再生装置を夫々別個に備えることもできる。再生する映像は、動画には限られず、デジタルカメラ等によって撮影される静止画等であってもよい。前記アンプ１１は、音声信号等を増幅可能であれば、任意のものを用いることができる。また、アンプ１１は、図に示すように再生装置１０と別個に備えるのではなく、再生装置１０に内蔵させておくこともできる。また、本実施形態の再生装置１０及びアンプ１１は、商用電源（１００Ｖ）によって動作可能としてある。また、前記の商用電源によって、仏壇用照明の電源も賄えるようにしてある。
【００２２】
前記下部扉７は、前記上部扉６と同様に、図１、図３に示すように下部筐体３の開口部の両側方に備えられている。本発明の下部扉７は、中央から両側に開閉する開き扉であって、左右の扉を内側に折りたたむことができるようにしてある。下部扉７は、下部筐体３の開口部の側方に直接取付けられた外側扉３８と、外側扉３８に蝶番等で内側に折りたたみ可能に備えられた内側扉３９とからなる。内側扉３９には、図３に示すように家具調のデザインが施されており、図１に示すように、下部扉７を開いて、内側扉３９を内側に折り返した場合であっても、家具調のデザインが正面にくるようにされている。
【００２３】
従って、本発明の映像表示機器を備えた仏壇を用いると、ディスプレイ８に故人を懐かしむ写真等の映像を表示することができ、また、再生装置１０に付されたボタンによって上下左右にスクロールさせたり、頭出しをする等、表示画面の制御を行うことができ、一日毎や、一週間毎に画面を切り替えて表示できるように制御することもできる。
【００２４】
なお、本発明の映像表示機器を備えた仏壇の、各機器間の接続用配線コードや、再生装置１０等の電源用コード等は、仏壇内の、棚の裏側等の空いたスペースに収容することができる。
【００２５】
（その他の実施形態）
ディスプレイ８の設置位置は、前記実施形態１記載の設置位置には限られず、例えば欄間２４の下部や、上部筐体２の天板１２の上など、任意の位置に設置することができる。また、仏壇の扉を閉めてもディスプレイ８を見られる位置にディスプレイ８を設置したりすることも可能である。さらに、仏壇の扉を閉めてもディスプレイ８を見られるように扉を切り欠いたり、扉の一部をガラス張りにする等の加工をすることも可能である。また、スピーカー９や、再生装置１０や、アンプ１１についても、それらの設置位置は、前記実施形態１記載の設置位置には限られず、任意の位置に設置することができる。
【００２６】
スピーカー９は、着脱自在とすることもできる。また、スピーカー９を、前記実施形態１記載の二つに対して更に追加することも可能である。また、スピーカーを室内の仏壇以外の部分にも配置して、ホームシアターのような高い音響効果を得ることもできる。また、スピーカー９を複数台備える場合には、夫々音域の異なるスピーカーを備えて、音響効果を向上させることができる。
【００２７】
また、スピーカー９を、上部扉６や下部扉７にも備えることもできる。その場合は、上部扉６や下部扉７を開いた時又は閉じた時に、上部扉６や下部扉７に備えた各スピーカー９が正面を向くように備える。これによって、臨場感のある音響効果を手軽に得ることができる。
【００２８】
再生装置１０や、ディスプレイ８に備えたテレビ受像機は、リモコンによって制御することも可能である。また、仏壇の扉の一部をスモークガラス等によってガラス張りとしたり、扉の一部を切り欠く等の加工をし、扉を閉めたままリモコン制御することも可能である。また、本発明の仏壇に搭載できる再生装置は一種類には限られず、例えば、ＤＶＤプレーヤーと、ビデオデッキと、ＣＤプレーヤー等を同時に備えることも可能である。
【００２９】
本発明の映像表示機器を備えた仏壇中の、上部筐体２及び下部筐体３内部の、各種棚の位置や数は、仏壇全体の大きさや、設置する仏具の数に応じて変化させることができる。本発明の仏壇はディスプレイ８、再生装置１０、スピーカー９が備えられていれば、その他棚等の形状、数量については任意に形成することができる。
【産業上の利用可能性】
【００３０】
本発明の映像表示機器を備えた仏壇は、仏壇には限られず、その他家具全般、家電全般にも広く応用することができる。
【図面の簡単な説明】
【００３１】
【図１】本発明の映像表示機器を備えた仏壇を用いた実施形態の一例を示す正面図。
【図２】図１に示す映像表示機器を備えた仏壇を示す側方断面図。
【図３】図１に示す映像表示機器を備えた仏壇を示す正面図（扉を閉めた時）。
【符号の説明】
【００３２】
１  映像表示機器を備えた仏壇
２  上部筐体
３  下部筐体
６  上部扉
７  下部扉
８  ディスプレイ
９  スピーカー
１０  再生装置
１１  アンプ
【図１】
2005261632.tif 000003
【図２】
2005261632.tif 000004
【図３】
2005261632.tif 000005